(57)【特許請求の範囲】
【請求項１】
カウンタをカバーとカバーで覆われる支持具で構成する浴室カウンタにおいて、支持具は、前方に向けて突出する支持部と、支持部の後端に設けた壁面取着部と、支持部の後端部から下向きに突出する下向突出部を備え、下向突出部に止水栓保持部を形成し、支持具の壁面取着部を浴室の壁面に取付け、カバーは、上面がカウンタ面となり且つ内部が後方に開口する支持具収納空所となったカウンタ部を備え、カバーで浴室用配管を覆うと共に、支持具の支持部を支持具収納空所に挿入して該支持部でカウンタ部を支持し、支持具の止水栓保持部で浴室用配管に設けた止水栓を保持することを特徴とする浴室カウンタの構造。
【請求項２】
上記支持具とは別に水栓台補強具を備え、該水栓台補強具に水栓保持部を形成し、浴室の壁面に水栓台補強具を取付け、上記カバーは前方に向けて突出してカウンタ部の上方に位置する水栓台部を備え、該水栓台部の内部に後方に向けて開口する補強具収納空所を形成し、該水栓台補強具を水栓台部の補強具収納空所に挿入し、浴室用配管から湯水が供給される水栓を水栓台部に設けると共に、該水栓を水栓台補強具に形成した水栓保持部で保持することを特徴とする請求項１に記載の浴室カウンタの構造。
【発明の詳細な説明】
【技術分野】
【０００１】
本発明はカバーと支持具とで構成される浴室カウンタの構造に関する。
【背景技術】
【０００２】
この種の浴室カウンタの構造としては、例えば特許文献１に示すものが知られており、この構造は、カウンタをカバーと支持具で構成している。カバーは、上面がカウンタ面となり且つ内部が後方に開口する支持具収納空所となっている。また浴室の壁面には支持具を取付けている。そしてカバーの支持具収納空所内に支持具を挿入して覆うことでカウンタを形成してあり、ここで支持具はカウンタの外殻を構成するカバーを補強している。
【０００３】
ところで上記のようにカウンタをカバーで構成するものにおいては、通常カウンタに設けた水栓等に通じる浴室用配管をカバーの内部に通して該浴室用配管をカバーで覆っている。ここで浴室用配管の止水をするための止水栓は通常は浴室の壁面に取付けた取付具を用いて浴室の壁面に固定されるのだが、この場合、止水栓を固定するための専用の取付具を浴室の壁面に取付ける作業を行う必要であり、面倒である。
【特許文献１】特開２００３−４６６号公報（特に図７参照）
【発明の開示】
【発明が解決しようとする課題】
【０００４】
本発明は上記従来の問題点に鑑みて発明したものであって、カウンタを支持具で補強できるのは勿論、加えて止水栓を固定するための専用の取付具を別途設けることなく止水栓を壁面に対して強固に保持できる浴室カウンタの構造を提供することを課題とするものである。
【課題を解決するための手段】
【０００５】
上記課題を解決するために本発明に係る浴室カウンタの構造は、カウンタ６をカバー１４とカバー１４で覆われる支持具１５で構成する浴室カウンタにおいて、支持具１５は、前方に向けて突出する支持部１９と、支持部１９の後端に設けた壁面取着部２０と、支持部１９の後端部から下向きに突出する下向突出部２１を備え、下向突出部２１に止水栓保持部２７を形成し、支持具１５の壁面取着部２０を浴室の壁面に取付け、カバー１４は、上面がカウンタ面４５となり且つ内部が後方に開口する支持具収納空所４６となったカウンタ部１３を備え、カバー１４で浴室用配管９を覆うと共に、支持具１５の支持部１９を支持具収納空所４６に挿入して該支持部１９でカウンタ部１３を支持し、支持具１５の止水栓保持部２７で浴室用配管９に設けた止水栓５を保持することを特徴とするものである。この構成により、カバー１４のカウンタ部１３内に挿入した支持具１５の支持部１９でカウンタ部１３を支持してカウンタ６を補強できる。しかもこの支持具１５には止水栓保持部２７を設けてあり、該止水栓保持部２７により浴室用配管９の止水をする止水栓５を保持できるので、止水栓５を保持するための専用の取付具を設ける必要がない。
【０００６】
また上記支持具１５とは別に水栓台補強具１７を備え、該水栓台補強具１７に水栓保持部４０を形成し、浴室の壁面に水栓台補強具１７を取付け、上記カバー１４は前方に向けて突出してカウンタ部１３の上方に位置する水栓台部１６を備え、該水栓台部１６の内部に後方に向けて開口する補強具収納空所４７を形成し、該水栓台補強具１７を水栓台部１６の補強具収納空所４７に挿入し、浴室用配管９から湯水が供給される水栓８を水栓台部１６に設けると共に、該水栓８を水栓台補強具１７に形成した水栓保持部４０で保持することも好ましい。この場合、カバー１４の水栓台部１６に挿入した水栓台補強具１７により水栓台７を補強できる。さらにこの水栓台補強具１７の水栓保持部４０で水栓８を保持できるので、カバー１４のみで水栓８を支持する場合と比べて水栓８の取付強度を高めることができる。
【発明の効果】
【０００７】
本発明では、カウンタ部内に挿入した支持具の支持部でカウンタを補強でき、しかもこの支持具に設けた止水栓保持部で止水栓を保持できて、止水栓を保持するための専用の取付具を設ける必要がなく、従って止水栓を固定するための専用の取付具を別途設けることなく止水栓を壁面に対して強固に保持できる。
【発明を実施するための最良の形態】
【０００８】
以下、本発明を添付図面に示す実施形態に基いて説明する。本実施形態の浴室カウンタは図２及び図３に示すように鏡付きカウンタであって、下部を構成するカウンタブロック１と、上部を構成するミラーブロック２とからなる。浴室カウンタが設置される浴室は、床パン３で床（洗い場）を形成すると共に、床パン３の外縁部に立設した壁パネル４で壁を形成し、上記浴室カウンタは壁パネル４によって構成された浴室の洗い場に面する壁面に設けられる。
【０００９】
カウンタブロック１は、所定の高さ位置から前方に向けて突出するカウンタ６と、カウンタ６の上方位置から前方に向けて突出する水栓台７を備えている。水栓台７の前面部には水栓８を支持しており、水栓８には床下からカウンタブロック１内に導入された室用配管９を連通接続している。これにより水栓８の吐出口部８ａからは室用配管９から供給される湯水を吐出できるようになっている。カウンタ６は洗面器置き台として利用されるものであり、水栓８の吐出口部８ａから下方に向けて吐出した湯水をカウンタ６の上面に載置した洗面器で受けられるようになっている。また図２に示すようにミラーブロック２の側面又はカウンタブロック１の側面にはシャワーホース１０とシャワーヘッド１１とからなるシャワー装置１２を設けている。
【００１０】
カウンタ６は、樹脂等で形成されたカバー１４から前方に突出するカウンタ部１３と、該カウンタ部１３を支持する支持具１５（図１等参照）で構成してあり、また図７のように水栓台７は、カバー１４から前方に突出する水栓台部１６と、水栓台部１６を補強する水栓台補強具１７とで構成してある。
【００１１】
支持具１５は浴室の壁面に沿って取付けられるもので、ステンレス等の金属板で形成されている。図１１等に示すように支持具１５は、前方に向けて略水平に突出する支持部１９と、支持部１９の後端に設けた壁面取着部２０と、支持部１９の後端部から下向きに突出する下向突出部２１を備えている。図示例の支持具１５は支持部１９の後端から下方に向けて壁面取着部２０を突出して全体として側面視略Ｌ字状としてあり、この例では壁面取着部２０で前記下向突出部２１を構成している。
【００１２】
支持部１９は外周縁を下方に折り曲げて補強してあり、全体としては厚みの厚い略板状に形成されている。支持部１９の後端部の両側には上下方向に貫通する配管通し孔２２を夫々設けてあり、各配管通し孔２２には浴室用配管９を挿通できるようになっている。
【００１３】
壁面取着部２０は支持部１９の後端部から垂下した略矩形の板状部２３で主体を構成している。板状部２３の上部の両側部は前方に向けて切り起こしてあり、これにより板状部２３の上部の両外側に切欠部２４を形成し、また同時に板状部２３の上部の両側縁の夫々から前方に向けて突出する縦片状の止水栓取付部２５を形成している。各止水栓取付部２５の上下２箇所には前方に向けて開口するＵ字状の切欠からなる開口部２６を形成してあり、本実施形態ではこの開口部２６を形成した止水栓取付部２５で止水栓保持部２７を構成している。
【００１４】
板状部２３の切欠部２４を挟む上端部と下部の夫々にねじ具５２を挿通するための孔３０を複数穿設している。また図１のように板状部２３の上下両側の計４箇所には前方に向けて被係合部３１を突出している。被係合部３１は、板状部２３から前方に向けて突設したＬ字状片３２と、各Ｌ字状片３２の縦片部３２ａから前方に向けて突設した被係合部材３４とからなる。被係合部材３４は、軸部３４ａと、軸部３４ａの前端に設けた円盤状部３４ｂからなり、軸部３４ａの後端部をＬ字状片３２の縦片部３２ａに穿設した嵌込孔３３に嵌め込むことで縦片部３２ａに取付けられる。このように形成された各被係合部３１には後述の下カバー１４ｂの対応する係合部３６を係脱自在に係合できるようになっている。
【００１５】
水栓台補強具１７は支持具１５の上方位置で浴室の壁面に沿って取付けられるものであり、ステンレス等の金属板で形成される。水栓台補強具１７は平面視で後方に開口するコ字状のコ字状片部３７を備えており、コ字状片部３７の各側片部３７ａの後端には浴室の壁に取付け固定される固定片部３８を外側に向けて突出している。またコ字状片部３７の前面部は、水栓８、湯温調節装置４１、切換装置４２が取付け固定される固定部３９となっている。つまり本実施形態ではこのコ字状片部３７の前面部からなる固定部３９を水栓８を保持する水栓保持部４０としている。また水栓台補強具１７のコ字状片部３７の側片部３７には浴室用配管９を挿通して支持している。
【００１６】
ここで湯温調節装置４１は、同装置に供給された湯と水の混合比を調節して混合し、これにより下流側に供給される湯水の温度を調節するものである。また切換装置４２は湯温調節装置４１から供給された湯水を水栓８に供給するか、又はシャワー装置１２に供給するかを切換えるものである。また本実施形態の切換装置４２は水栓８側及びシャワー装置１２側への湯水の供給量をも調節可能なものであり、即ち切換装置４２は湯量調節装置を兼ねている。
【００１７】
図３に示すようにカウンタブロック１の外殻を構成するカバー１４は、上部を構成する上カバー１４ａと、下部を構成する下カバー１４ｂとからなる。
【００１８】
上カバー１４ａは後方に開口するもので、下端部からカウンタ部１３を突出し、上端部から水栓台部１６を突出し、またカウンタ部１３と水栓台部１６はこの間を覆う中間カバー部４４で一体に接続されている。
【００１９】
カウンタ部１３はカウンタ６の外殻を構成するもので板状であり、水栓台部１６よりも前方に突出している。カウンタ部１３の上面は前側に向けてやや下り傾斜して水勾配をつけたカウンタ面４５となっている。カウンタ部１３の内部は後方に向けて開口する支持具収納空所４６となっており、支持具収納空所４６には浴室の壁面に取付けた支持具１５から前方に突出する支持部１９を挿入できるようになっている。
【００２０】
またカウンタ部１３の上方に位置する水栓台部１６は水栓台７の外殻を構成するもので板状である。水栓台部１６の内部には後方に向けて開口する補強具収納空所４７を形成してあり、補強具収納空所４７には浴室の壁面から前方に向けて突設した水栓台補強具１７を挿入できるようになっている。また図５のように上カバー１４ａのカウンタ部１３の後端及び水栓台部１６の後端の夫々には上カバー１４ａを浴室の壁面に取付けるための取着片部４８を突出している。
【００２１】
上カバー１４ａの下方に配置される下カバー１４ｂは前面部が上カバー１４ａの中間カバー部４４と前後方向において同じ位置に位置するように支持具１５に取付けられるものであり、後方に向けて開口している。下カバー１４ｂの前面部の裏面の前述の支持具１５の被係合部３１に対応する位置には係合部３６を設けている。各係合部３６は横方向に伸びて後方に開口する係合溝部１８を備えており、係合溝部１８の一側端は開口している。各係合部３６は、下カバー１４ｂを側方にスライドして各係合溝部１８内に被係合部３１の円盤状部３４ｂを一側端開口から挿入することで、被係合部３１に係合可能となっている。また下カバー１４ｂは前述のスライド方向とは反対の側方にスライドすることで、被係合部３１の円盤状部３４ｂを係合部３６の係合溝部１８の一側端開口から引き抜いて、被係合部３１と係合部３６の係合を解除できるようになっている。
【００２２】
上記カウンタブロック１の取付けは例えば以下のような手順で行う。まず図９に示すように支持具１５の各止水栓取付部２５の夫々に止水栓５を取付ける。止水栓５を止水栓取付部２５に取付けるには、止水栓取付部２５の内側（他の止水栓取付部２５側）に配した止水栓５の上部及び下部の夫々から側方に突設した雄ねじ部５０を各開口部２６に通し、この雄ねじ部５０に止水栓取付部２５の外側（他の止水栓取付部２５側とは反対側）から締付リング５１を螺合して、締付リング５１と止水栓５とで開口部２６の周縁を挟持する。
【００２３】
次に支持具１５の壁面取着部２０を複数のねじ具５２で浴室の壁面に取付けて固定する。次いで水栓台補強具１７の固定部３９に水栓８、湯温調節装置４１、切換装置４２を予め取付けた上で、該水栓台補強具１７の各固定片部３８をねじ具５２で浴室の壁面に取付ける。
【００２４】
また上記支持具１５及び水栓台補強具１７の取付けと並行して、床下から浴室内に導入された湯又は水を供給する浴室用配管９を各止水栓５の上流側に接続し、同時に各止水栓５と湯温調節装置４１、湯温調節装置４１と切換装置４２、切換装置４２と水栓８、切換装置４２とシャワー装置１２の夫々も浴室用配管９で接続する。なお湯温調節装置４１と各止水栓５を接続する湯供給用の浴室用配管９及び水供給用の浴室用配管９の夫々は前述の支持具１５に設けた各配管通し孔２２を通しており、これにより支持具１５の下側の浴室用配管９をカバー１４内において支持具１５の上側に引き出せるようにしている。
【００２５】
次に上カバー１４ａのカウンタ部１３内に形成された支持具収納空所４６に支持具１５の支持部１９を挿入すると共に、水栓台部１６内に形成された補強具収納空所４７に水栓台補強具１７を挿入する。これによりカウンタ部１３で支持具１５の支持部１９を包むように覆い、また水栓台部１６で水栓台補強具１７を包むように覆う。また中間カバー部４４により支持具１５と水栓台補強具１７の間にある浴室用配管９が覆われる。またこの時、水栓台補強具１７に固定した水栓８、湯温調節装置４１、切換装置４２は水栓台部１６の前面部を通して前方に突出する。そしてこの上カバー１４ａの上下の取着片部４８を複数のねじ具５２により浴室の壁面に取付ける。なお水栓台部１６の前方に突出した水栓８、湯温調節装置４１、切換装置４２には、湯水を吐出する吐出口部８ａ、湯温を調節する湯温調節ハンドル５４、湯水の供給先を切換えると共に湯水の供給量を調節する切換えハンドル５５が取付けられるものとする。
【００２６】
次に下カバー１４ｂを前述したように側方にスライドして支持具１５に取付ける。これにより下カバー１４ｂで上カバー１４ａと浴室の床との間に配設された支持具１５の壁面取着部２０や止水栓保持部２７、止水栓５、浴室用配管９が覆われる。ここで下カバー１４ｂの各係合部３６は支持具１５の被係合部３１に対して係脱自在に係合しているので、支持具１５から下カバー１４ｂを取り外して各止水栓５を露出させることができる。従って下カバー１４ｂを取外して各止水栓５を操作して下流の水栓８側やシャワー装置１２側への湯や水の流れを止水したり、点検したりできるようになっている。
【００２７】
また上記カウンタブロック１の上方に配設されるミラーブロック２は、図３及び図６に示すように浴室の壁にねじ具５２で取付けられるミラーブロック本体５７と、ミラーブロック本体５７の前面にテープ等により取付けられる鏡５８とからなる。ミラーブロック本体５７は下面をカウンタブロック１の上端（即ち水栓台７の上面）に載置した状態で壁面に取付けられる。従ってミラーブロック２はカウンタブロック１から一体に突出したような外観となる。また図６や図１０に示すようにミラーブロック本体５７の下面の両側にはスリット５９を設けてあり、他方、上カバー１４ａの上面後端部の両側には上方に向けてダボ６０を突設してあり、ミラーブロック本体５７は各ダボ６０を対応するスリット５９に嵌合してカウンタブロック１に対して左右方向に位置決めされている。
【００２８】
以上説明した浴室カウンタの構造では、カバー１４のカウンタ部１３内に挿入した支持具１５の支持部１９によりカウンタ部１３を支持してカウンタ６を補強できる。しかもこの支持具１５には止水栓保持部２７（止水栓取付部２５）を設けてあり、該止水栓保持部２７により浴室用配管９の止水をする止水栓５を保持できるので、止水栓５を保持するための専用の取付具を設ける必要がない。
【００２９】
またカバー１４の水栓台部１６に挿入した水栓台補強具１７により水栓台７を補強できる。さらにこの水栓台補強具１７の固定部３９で水栓８、湯温調節装置４１、切換装置４２を保持できるので、カバー１４のみでこれらを支持する場合と比べて水栓８、湯温調節装置４１、切換装置４２の取付強度を高めることができる。
【図面の簡単な説明】
【００３０】
【図１】本発明の実施の形態の一例を示し、カバーを取付ける前で支持具及び水栓台補強具を浴室の壁面に取付けた状態を示す斜視図である。
【図２】浴室カウンタの正面図である。
【図３】浴室カウンタの鏡を取付ける前の斜視図である。
【図４】支持具を示すものであり、（ａ）は正面図、（ｂ）は（ａ）のＡ―Ａ断面図、（ｃ）は側面図、（ｄ）は平面図である。
【図５】上カバーの斜視図である。
【図６】ミラーブロック本体を示すものであり、（ａ）は正面図、（ｂ）は底面図、（ｃ）は側面図である。
【図７】下カバーを取外したカウンタブロックの側断面図である。
【図８】カウンタブロックの平面図である。
【図９】止水栓の支持具への取付けを示す分解斜視図である。
【図１０】（ａ）はミラーブロック近傍を示す側面図であり、（ｂ）は水栓台部近傍を示す正面図である。
【図１１】（ａ）は支持具の下側から見た斜視図であり、（ｂ）は支持具の上側から見た斜視図である。
【符号の説明】
【００３１】
５  止水栓
６  カウンタ
８  水栓
９  浴室用配管
１３  カウンタ部
１４  カバー
１５  支持具
１７  水栓台補強具
１９  支持部
２０  壁面取着部
２１  下向突出部
２７  止水栓保持部
４０  水栓保持部
４５  カウンタ面
４７  補強具収納空所
４６  支持具収納空所
【図１】
0004600274.tif 000002
【図２】
0004600274.tif 000003
【図３】
0004600274.tif 000004
【図４】
0004600274.tif 000005
【図５】
0004600274.tif 000006
【図６】
0004600274.tif 000007
【図７】
0004600274.tif 000008
【図８】
0004600274.tif 000009
【図９】
0004600274.tif 000010
【図１０】
0004600274.tif 000011
【図１１】
0004600274.tif 000012